(57)【要約】  【課題】  効果的に小型化した電池収納部を持つ撮像装置を提供すること。  【解決手段】  爪が電池の中心軸に対して非対称に配置されており、電池を電池収納部に収納時に爪の側面と電池の側面との間に指座繰り部を配設することで、効果的に電池収納部を小型化することができる。【選択図】  図４ａ
2013105018.tif 000002
【特許請求の範囲】
【請求項１】
開閉する蓋と、蓋を操作するための凹形状を有する指座繰り部と、複数の爪形状を有する電池と、前記爪を引っかけ前記電池を保持する電池収納部を有する撮像装置において、
前記爪は前記電池の中心軸に対して非対称に配置されており、前記電池を前記電池収納部に収納時に前記爪の側面と前記電池の側面との間に前記指座繰り部を配設することを特徴とする撮像装置。
【発明の詳細な説明】
【技術分野】
【０００１】
本発明は電池収納部を有する撮像装置に関するものである。
【背景技術】
【０００２】
近年、デジタルビデオやデジタルカメラなどの撮像装置においては多機能化が進んでいる。そして機能を拡張する一方で、機能性を損なわない製品の小型化の検討が必要とされてきている。これは、撮像装置の電池収納部の構造についても同様であり、機能性を損なわずに電池収納部を小型化することが求められている。
【０００３】
（図５の説明）
図５は従来の撮像装置の電池収納構造を説明する断面図である。ここで、２００は撮像装置、１１０は電池、１１１は電池収納部、１１４ａは第１の爪引っかけ部、１１４ｂは第２の爪引っかけ部、１１５ａは第１の爪、１１５ｂは第２の爪である。ここで第１の爪１１５ａと第２の爪１１５ｂは電池１１０の中心軸ｘに対して対称に配設されている。
【０００４】
また、以下に示す特許文献１にも電池の爪が電池の中心軸に対して対称に配設されている例が示されている。
【先行技術文献】
【特許文献】
【０００５】
【特許文献１】特開平１１−２７５３９８号公報
【発明の概要】
【発明が解決しようとする課題】
【０００６】
しかしながら、従来の撮像装置においては、電池の最外形より外側へ機能部を配設せざるを得なく、電池収納部を有効利用することができず、撮像装置本体の幅方向が大きくなる傾向があり、小型化が困難であるといった問題があった。
【０００７】
本発明の目的は、効果的に小型化した電池収納部を持つ撮像装置を提供することにある。
【課題を解決するための手段】
【０００８】
本発明の撮像装置は、開閉する蓋と、蓋を操作するための凹形状を有する指座繰り部と、複数の爪形状を有する電池と、前記爪を引っかけ前記電池を保持する電池収納部を有する撮像装置において、
前記爪は前記電池の中心軸に対して非対称に配置されており、前記電池を前記電池収納部に収納時に前記爪の側面と前記電池の側面との間に前記指座繰り部を配設することを特徴としている。
【発明の効果】
【０００９】
以上説明したように、爪を電池の中心軸に対して非対称に配置して構成し、爪の側面と電池の側面との間に指座繰り部を配設することで、効果的に電池収納部を小型化した撮像装置の提供が可能である。
【図面の簡単な説明】
【００１０】
【図１】本発明の実施例に係る撮像装置の内部構成を示すブロック図である。
【図２】本発明の実施例に係る撮像装置の外観を説明する図である。
【図３ａ】本発明の実施例に係る電池の背面図である。
【図３ｂ】本発明の実施例に係る電池の上面図である。
【図４ａ】本発明の実施例に係る撮像装置の開閉蓋が閉まった状態の電池収納構造を説明する断面図である。
【図４ｂ】本発明の実施例に係る撮像装置の開閉蓋が開いた状態の電池収納構造を説明する断面図である。
【図５】従来の撮像装置の電池収納構造を説明する断面図である。
【発明を実施するための形態】
【００１１】
以下、本発明の実施の形態について、図面を参照しながら説明する。
【００１２】
（図１の説明）
図１は本発明の実施例に係る撮像装置の内部構成を示すブロック図である。図１に示すように、撮像装置１００は、レンズ２１、撮像素子２２、カメラ信号処理部２３、モニタ２４、レコーダ２５、電源回路２６、電池１０、画像変換回路２７、制御マイコン２８、操作キー２９を備える。撮像装置の原理としては、レンズ２１を通ってきた光が撮像素子２２によって電気信号に変えられ、カメラ信号処理部２３によってデジタル処理される。そして像をレコーダ２５に記録し、モニタ２４に表示する構成となっている。また、撮影者はモニタ２４に表示される像を確認しつつ操作キー２９を操作する。この操作キー２９の操作内容を示すデータは、制御マイコン２８により具体的な処理内容を示すコマンドにブレークダウンされた後、各部に供給される。
【００１３】
（図２の説明）
図２は本発明の実施例に係る撮像装置の外観を説明する図である。図２に示す通り、撮像装置１００はレンズ２１を有し、レンズ２１と反対方向に電池収納部１１が設けられている。また、電池収納部１１の脇に開閉蓋１２が配設され、開閉蓋１２を操作するための指座繰り部１３が配設されている。
【００１４】
（図３ａ、図３ｂの説明）
図３ａは本発明の実施例に係る電池１０の背面図であり、図３ｂは本発明の実施例に係る電池１０の上面図である。なお、図３ｂで示したエリアＡは、１０ａの延長と１０ｃの延長と１０ｂと１０ｄで囲まれた範囲である。
【００１５】
ここで、１５ａは第１の爪、１５ｂは第２の爪であり、１５ｃは第３の爪、１５ｄは第４の爪である。図３ａ、図３ｂに示す通り、第１の爪１５ａ、第２の爪１５ｂと第３の爪１５ｃ、第４の爪１５ｄは電池の中心軸Ｙに対して非対称に配設されている。このため、図３ｂのエリアＡで示した通り、エリアＡに何も配設されない空間ができる。
【００１６】
（図４ａ、図４ｂの説明）
図４ａは本発明の実施例に係る撮像装置の開閉蓋が閉まった状態の電池収納構造を説明する断面図であり、図４ｂは本発明の実施例に係る撮像装置の開閉蓋が開いた状態の電池収納構造を説明する断面図である。
【００１７】
ここで、１００は撮像装置、１０は電池、１１は電池収納部、１２は開閉蓋、１３は指座繰り部、１４ａは第１の爪引っかけ部、１５ａは第１の爪、１６は電池基板、１７はスイッチ基板、１８は記録メディア基板、１９は記録メディアジャック、２０は記録メディアである。
【００１８】
図４ａに示すように、記録メディア基板１８に搭載された記録メディアジャック１９へのゴミや埃の侵入を防ぐため開閉蓋１２が設置されている。また開閉蓋１２を操作するための指を入れる空間として指座繰り部１３が設けられている。また、指座繰り部１３は図３ｂで示したエリアＡに配設されている。図３ａ、図３ｂで説明した通り、第１の爪１５ａ、第２の爪１５ｂと第３の爪１５ｃ、第４の爪１５ｄを電池の中心軸Ｙに対して非対称に配設し、空いた空間であるエリアＡに指座繰り部１３を配設することで、撮像装置本体の幅方向を広げることなく電池収納部１１を効果的に小型化した撮像装置を提供することができる。
【００１９】
また、ここで、電池基板１６を指座繰り部１３と反対方向へ移動し、斜めに配設した記録メディア２０の挿入口を電池１０へ近づけることでスイッチ基板１７を配設する空間をつくることができ、撮像装置本体を小型化することができる。
【００２０】
また図４ｂで示した開閉蓋１２が開いた状態では、指座繰り部１３は記録メディア２０を操作する際の指の逃げとなる。
【符号の説明】
【００２１】
１００‥‥撮像装置
１０‥‥電池
１１‥‥電池収納部
１２‥‥開閉蓋
１３・・・・指座繰り部
１４ａ・・・・第１の爪引っかけ部
１５ａ・・・・第１の爪
１５ｂ・・・・第２の爪
１５ｃ・・・・第３の爪
１５ｄ・・・・第４の爪
１６・・・・電池基板
１７・・・・スイッチ基板
１８・・・・記録メディア基板
１９・・・・記録メディアジャック
２０・・・・記録メディア
２１・・・・レンズ
２２・・・・撮像素子
２３・・・・カメラ信号処理部
２４・・・・モニタ
２５・・・・レコーダ
２６・・・・電源
２７・・・・画像変換回路
２８・・・・制御マイコン
２９・・・・操作キー
２００‥‥撮像装置
１１０‥‥電池
１１１‥‥電池収納部
１１４ａ・・・・第１の爪引っかけ部
１１４ｂ・・・・第２の爪引っかけ部
１１５ａ・・・・第１の爪
１１５ｂ・・・・第２の爪
【図１】
2013105018.tif 000003
【図２】
2013105018.tif 000004
【図３ａ】
2013105018.tif 000005
【図３ｂ】
2013105018.tif 000006
【図４ａ】
2013105018.tif 000007
【図４ｂ】
2013105018.tif 000008
【図５】
2013105018.tif 000009